(57)【要約】【課題】  不可視光線を照射する照明装置の付近で作業を行う作業者に対して、照明装置が不可視光線を照射中であることを確実に警告でき、また、複数の照明装置が存在する場合でも、どの照明装置が不可視光線を照射中であって危険なのかを判断可能な照明装置を提供する。【解決手段】  不可視光線を照射するＬＥＤ１１を備えた照明装置１に、ＬＥＤ１１と連動して動作し、周囲に対し不可視光線を照射中であることを警告する警告装置１２を備える。【選択図】  図１
2008107260.tif 000002
【特許請求の範囲】
【請求項１】
不可視光線を照射する光源を筐体内に備えた照明装置であって、
前記光源と連動して動作し、周囲に対し不可視光線を照射中であることを警告する警告装置を備え、
前記警告装置は前記光源と共に前記筐体内に配置されたことを特徴とする照明装置。
【請求項２】
請求項１記載の照明装置において、
前記警告装置は可視光線を照射する光源であることを特徴とする照明装置。
【請求項３】
請求項１記載の照明装置において、
前記警告装置は警告音を発するブザーであることを特徴とする照明装置。
【請求項４】
請求項１乃至３記載の照明装置において、
前記警告装置は前記光源と同一の電子回路上に、電気的に直列または並列に配置されたことを特徴とする照明装置。
【発明の詳細な説明】
【技術分野】
【０００１】
本発明は、赤外線または紫外線などの不可視光線を照射する照明装置に関するものである。
【背景技術】
【０００２】
従来から、画像処理分野においては照明装置から撮影対象物を照らすための光を照射し、撮影対象物に反射した光を受光して画像を生成するという手段が広く用いられている。
【０００３】
特に撮影対象物が金属であった場合、金属はその種類によって紫外線をよく反射するものと、あまり反射しないものがあるという性質を利用する手法がよく知られている。すなわち、照明装置から紫外線を照射し、反射した紫外線を受光することによって画像上に金属の種類に応じた濃淡差を生じさせることが可能となる。
【０００４】
しかし、紫外線は可視光線よりも波長が短く、人体に照射した場合様々な影響を及ぼすことがよく知られている。特に紫外線を直視した場合、光線角膜炎や光線結膜炎、白内障など眼に障害を及ぼす危険性がある。
【０００５】
紫外線を照明装置から照射しても、紫外線は不可視であるために照射中であることがわかりにくい。そのため従来の紫外線を照射する照明装置は、照射中に不用意に装置に近づくことによって人体に深刻なダメージを受ける恐れがあった。
【０００６】
このような紫外線の危険性を踏まえ、特許文献１では皮膚治療のための治療室内に紫外線を照射する際、治療室の外部に紫外線照射手段が稼動中であることを警告する警告手段を備えることにより、紫外線の危険を回避する装置が開示されている。
【特許文献１】特開２００４−６５３３０
【発明の開示】
【発明が解決しようとする課題】
【０００７】
ところで、画像を撮影する際には照明装置の位置や角度などを調整する必要があり、また、撮影対象物を照明装置に対して適切な位置にセットする必要がある。すると、照明装置から紫外線を照射する場合において最も紫外線の危険に晒されるのは実際に照明装置に近づいて作業を行う作業者である。また、紫外線照射中の照明装置に不用意に近づく恐れがあるのも実際の作業者である。特許文献１と対比すると、この作業者は特許文献１の皮膚治療を受ける使用者に相当する。ところが特許文献１においては室外にしか警告装置を設置しないため、本来最も危険性を伝えられるべきである使用者に対して警告の効果が得られないという問題がある。
【０００８】
また、照明装置によって撮影対象物に光を照射するにあたって、照明装置が1台限りであるとは限らない。紫外線を照射する照明装置を２台以上用いて撮影対象物に照射することもあるし、場合によっては紫外線を照射する照明装置と、通常の可視光線を照射する照明装置を併用することもある。これは特許文献１においても第1紫外線発生手段と第２紫外線発生手段を併用している点で同じである。しかし、特許文献１においては室外に警告装置を設置するとしか記載されておらず、どちらの紫外線発生手段が動作しているのかわからない。たとえ警告装置を紫外線発生手段と同数用意し、どの紫外線発生手段が動作しているのかわかるようにしたとしても、室内のどの場所に該当する紫外線発生手段を設置しているのかを熟知していないと、紫外線の照射がどこから行われているのかわからないため、十分な危険回避ができるとは言えない。
【０００９】
本発明は上記した従来の問題を解決するためになされたもので、その目的とするところは、照明装置の付近で作業を行う作業者に対して不可視光線を照射中であることを確実に警告でき、また、複数の照明装置が存在する場合でも、どの照明装置が不可視光線を照射中であって危険なのかを判断可能とした照明装置を提供することにある。
【課題を解決するための手段】
【００１０】
上記目的を達成するため、本発明における第１発明(請求項１に係る発明)は、不可視光線を照射する光源を筐体内に備えた照明装置であって、光源と連動して動作し、周囲に対し不可視光線を照射中であることを警告する警告装置を備え、警告装置は光源と共に筐体内に配置されたことを特徴とするものである。この発明によれば、照明装置の付近で作業を行う作業者に対して不可視光線を照射中であることを確実に警告でき、また、複数の照明装置が存在する場合でも、どの照明装置が不可視光線を照射中であって危険なのかを判断することができるようになる。
【００１１】
第２発明(請求項２に係る発明)は、第１発明の照明装置において、警告装置は可視光線を照射する光源であることを特徴とするものである。この発明によれば、可視光線の有無を確認することによって容易に照明装置が動作中であるかを判断することができるようになる。
【００１２】
第３発明(請求項３に係る発明)は、第１発明の照明装置において、警告装置は警告音を発するブザーであることを特徴とするものである。この発明によれば、警告音の有無を確認することによって容易に照明装置が動作中であるかを判断することができるようになる。
【００１３】
第４発明(請求項４に係る発明)は、第１発明乃至第３発明の照明装置において、警告装置は光源と同一の電子回路上に、電気的に直列または並列に配置されたことを特徴とするものである。このような構成によれば、警告装置を光源と同一の電子回路上に配置できるため、警告装置のために電源を別体に用意したりする必要が無く、省スペースかつ低コストな照明装置を提供できる。
【実施例】
【００１４】
以下、本発明を図面に基づいて詳細に説明する。図１は本発明に係る照明装置の１実施の形態を示す図であり、図１において、１は照明装置、１１はＬＥＤであり、紫外線の照射を行う。通常は複数のＬＥＤ１１を並べて設置し、紫外線の光強度を高めるよう構成するが、ここでは省略して１つだけ記載する。１２もＬＥＤであるが、こちらは可視光線を照射するものであり、警告装置として働くものである。このＬＥＤ１２はＬＥＤ１１とは異なり、単一であっても構わない。１３は筒状に形成された筐体であり、内部にＬＥＤ１１，１２を収納する。２は電源装置であり、照明装置１の動作をＯＮ/ＯＦＦするスイッチ２１が備えられている。３は撮影対象物であり、照明装置１によって光を照射される。
【００１５】
スイッチ２１がＯＦＦの時はＬＥＤ１１、１２は共に通電せず、発光しない状態である。ここでスイッチ２１をＯＦＦからＯＮに切り替えると、ＬＥＤ１１、１２に電源装置２から電力が供給され、それぞれ紫外線及び可視光線を発するようになる。
【００１６】
照明装置１を使用して撮影対象物３に光を照射する作業を行う者（以下、作業者）は、照明装置１を手にとって使用する前に、可視光線が照射されていないかどうかを確認する。仮に可視光線が視認できた場合、スイッチ２１が既にＯＮになっており、照明装置１から紫外線が照射されていると判断できるので、照明装置１から発せられる紫外線を浴びたり、直視したりしないよう気をつけて取り扱うよう注意することが可能となる。また、同一の電源装置２から電力を供給することができるため、ＬＥＤ１１とＬＥＤ１２に対し、別体の電源装置を用意しなくてもよいという利点を有する。
【００１７】
作業者は、撮影対象物３に適切に紫外線を照射できる位置および角度に照明装置１を設置する。ここで、照明装置１を固定するためにスタンド等（図示せず）を用いてもよい。
【００１８】
照明装置１を適切に設置した後、スイッチ２１をＯＮにすることによって撮影対象物３に対し紫外線が照射されると同時に、ＬＥＤ１２から可視光線が照射される。これにより、照明装置１は紫外線を照射中であり、危険であることがわかるようになる。
【００１９】
図２は本発明に係る照明装置の第２の実施例を示す図である。ここでは紫外線を照射するＬＥＤ１１を複数直列に並べ、各ＬＥＤを電気的に直列接続する。さらにそれらを複数並列に並べ、互いに電気的に並列接続して基板１４上に配置することによってＬＥＤアレイを形成している。また、ＬＥＤアレイを構成するＬＥＤのうち少なくとも１つを、可視光線を照射するＬＥＤ１２により構成している。スイッチ２１がＯＮになり、紫外線が照射されるときは同時に可視光線が照射されるように照明装置１を形成することができる。また、これらのＬＥＤを同一の基板上に配置することで省スペース化が達成できる。より望ましくは、上記紫外線ＬＥＤのそれぞれの直列接続の中に可視光ＬＥＤがひとつ以上接続されていると良い。万が一、可視光ＬＥＤのひとつが故障して点灯しなくなっても、他の可視光ＬＥＤによって警告を発することが可能である。
【００２０】
図３はＬＥＤアレイを配置した基板１４を筐体１３内に収納した状態を示した断面図である。ここで筐体１３は基板１４を挟み込むように形成された裏板１３１と側板１３２、ねじ１３３、窓部１３４を用いて箱状に形成される。窓部１３４はＬＥＤ１１及びＬＥＤ１２から照射される光を遮光しないよう開口部とするか、あるいは透明度の高い材料で構成するのが好ましい。また、基板１４への電力の供給については特に図示しないが、第１の実施例と同じく照明装置１の外部に設けた電源装置と接続してもよいし、筐体１３の内部に電源を設けるようにしてもよい。
【００２１】
図４は第２の実施例に示した照明装置１と同一の照明装置１Ａ〜１Ｄを用いて、同一の撮影対象物３に対し紫外線を照射する状態を模式的に示したものである。図中の矢印はそれぞれの照明装置１から照射される光の方向を示すものである。このような場合において、例えば照明装置１Ａおよび照明装置１Ｂから可視光線が発せられていた場合、これらの照明装置からは紫外線が照射されており、他の照明装置１Ｃ、１Ｄからは紫外線が照射されていないことが容易に判断できる。
【００２２】
また、照明装置１Ａ〜１Ｄが全て同一のものではなく、例えば照明装置１Ａ、１Ｃが紫外線を照射するもので、照明装置１Ｂ、１Ｄは可視光線のみを照射する普通の光源であった場合でも、前述した場合と同様、照明装置１Ａ、１Ｂから可視光線が照射されていればこれらの照明装置に近づく作業者に対し注意を喚起することは可能である。
【００２３】
この場合、照明装置１Ａ、１Ｃに備えられたＬＥＤ１２を照明装置１Ｂ、１Ｄに用いられているＬＥＤとは異なる色を発するものにしたり、光強度の違うものを用いるようにすることで当該照明装置が紫外線を照射するものであるか否かを判別可能とすることがより好ましい。
【００２４】
また、図２においては複数のＬＥＤ１１に対し、単一のＬＥＤ１２を設ける構成を例示しているが、これらのＬＥＤの数は必要に応じて変更しても良い。例えば、ＬＥＤ１２を多数備えることによって、より可視光線の光強度を上げて注意を喚起しやすくしてもよい。
【００２５】
以上は可視光線を照射するＬＥＤを警告装置として用いた例であるが、警告装置はこのような構成に限らず、可視光線を照射するＬＥＤの代わりに警告音を発するブザーを取り付けてもよいし、可視光線を照射するＬＥＤと警告音を発するブザーを併用してもよい。つまり、警告装置としては作業者に対し注意を喚起するものを用いればよい。
【産業上の利用可能性】
【００２６】
以上に説明したように本発明に係る照明装置によれば、照明装置の付近で作業を行う作業者に対して不可視光線を照射中であることを確実に警告でき、また、複数の照明装置が存在する場合でも、どの照明装置が不可視光線を照射中であって危険なのかを判断できる。
【図面の簡単な説明】
【００２７】
【図１】本発明に係る照明装置の１実施の形態を示す図である。
【図２】本願発明の第２の実施例における照明装置の電気回路を示す回路図である。
【図３】図２に示した電気回路を筐体に収納した状態を示す断面図である。
【図４】複数の照明装置を用いて、同一の撮影対象物に対し紫外線を照射する状態を示した模式図である。
【符号の説明】
【００２８】
１  照明装置
１１  紫外線を照射するＬＥＤ
１２  可視光線を照射するＬＥＤ
１３  筐体
１３１  裏板
１３２  側板
１３３  ねじ
１３４  板材
１４  基板
１５  ＬＥＤおよび抵抗素子接続用リード部
１６  抵抗素子
２  電源装置
２１  スイッチ
３  撮影対象物
【図１】
2008107260.tif 000003
【図２】
2008107260.tif 000004
【図３】
2008107260.tif 000005
【図４】
2008107260.tif 000006